(57)【特許請求の範囲】
【請求項１】
周縁部の異なる二箇所にプルタブが備わり、表面シートと基材が接着剤層を介して積層されているとともに、中央部分を横断して、容器の開口部から剥離される部分と、容器の開口部に接着されたまま残存する部分とに分ける簡易切断線が設けられ、この簡易切断線を挟んで容器の開口部から剥離される部分側に一方のプルタブが、また、容器の開口部に接着されたまま残存する部分側に他方のプルタブがそれぞれ設けられ、容器の開口部に接着されたまま残存する部分側には、容器の開口部フランジとのシール部に沿わせて複数個の湯切り口形成用部分ハーフカットが設けられていて、このハーフカットは、前記簡易切断線側が非連続で、前記シール部側が連続した部分ハーフカットに形成され、かつ、シール部側が先細りとなった形状に形成されていることを特徴とする湯切り口付き蓋材。
【請求項２】
簡易切断線は、表面シートにその表側から設けられた表面側ハーフカットと、このハーフカットに平面的に僅かな間隔を開けて、基材側から表面シートに至るように並設された裏面側ハーフカットとから構成されている請求項１記載の湯切り口付き蓋材。
【請求項３】
簡易切断線は、表面シートから基材に貫通する、互いに外側に拡がるように傾斜した形状の剥離用切れ目を多数設けてなる切れ目線を複数列設されて構成されている請求項１記載の湯切り口付き蓋材。
【請求項４】
簡易切断線は、中間部分が湯切り口形成用部分ハーフカット存在側に凸になるように形成されている請求項１〜３のいずれかに記載の湯切り口付き蓋材。
【請求項５】
容器の開口部から剥離される部分側と容器の開口部に接着されたまま残存する部分側に設けられたプルタブは、簡易切断線を挟んで互いに隣り合って設けられ、併せて両プルタブの境界には基材から表面シートに貫通し、この簡易切断線に連なるノッチが設けられている請求項１〜４のいずれかに記載の湯切り口付き蓋材。
【発明の詳細な説明】
【０００１】
【産業上の利用分野】
この発明は、主として生麺などの即席食品（この発明においては、以下単に即席食品という）の密封包装に使用する容器の蓋材、特に即席食品を柔らかくほぐすために注がれた湯を排出する湯切り口を備えた湯切り口付き蓋材に関する。
【０００２】
【従来の技術】
即席食品は、カップ容器（発泡スチロール、スチロール、ポリプロピレンなどからなる）に密封包装された生麺、ソースやスープ、そして具などがそれぞれ個別に密封包装されて容器内に密封封入されている。
この即席食品を食するに当たっては、まず蓋材を容器開口から剥離し、生麺などを容器からすべて取り出す。次いで、生麺をパウチから取り出して、容器内に戻し、湯を注ぎ込み、生麺を軽くほぐす。次いで、容器内の湯を排出し、ソースやスープ、そして具などを適宜に添加して再び湯を注ぐ。
【０００３】
ところで、従来の、例えば即席ラーメン（カップ麺）などでは、蓋材の一部分を容器開口部から剥離し、ここからスープ（ソース）、そして具の入ったパウチを容器外に取り出す。しかし、乾麺はそのまま容器内に留め置き、ここへスープ（ソース）、そして具を入れ、次いで湯を注ぎ込んで、蓋を再び閉めて、２〜３分間麺を蒸らし、その後蓋材を完全に剥離するようにしている。
また、焼きそばやスパゲティーなどでは、湯を注いでから、麺の解れをまって、湯を排出し、次いで蓋材をすべて剥離するようにしている。
【０００４】
そして、従来のこの種乾麺等を主体とした湯切り口付き蓋材は、基本的に麺類が容器内に据え置かれたままで湯が注ぎ込まれる形態が採用されている。つまり、容器からいったん取り出されるものは、スープ（ソース）、そして具などの比較的小容量のものであった。また、麺類などをゆがく必要上、蓋材の開口量は極力小さい方が望ましいとされている。
【０００５】
また、焼きそばやスパゲティーの蓋材では、湯を注ぐための部分的な開封に続き、湯切り口を開口する手間、更には食するにあたって蓋材をすべて開封する手間も要する。
【０００６】
【発明が解決しようとする課題】
しかし、この発明が対象とする即席食品は、最も容量の大きな麺類などをいったん容器から取り出す必要がある。取りあえずは、従来の乾麺用の容器蓋材をそのまま転用してみたが、蓋材を完全に剥離しない限りは麺類が大変取り出し難いことが分った。また、即席食品をほぐすにも、大変ほぐしにくい欠点があることがわかった。その理由は、乾麺用の容器蓋材が、基本的には蓋材の開封面積を少なくするものであり、必然的に蓋材の開封面積が不十分であることに起因することがわかった。
【０００７】
そこでこの発明は、このような観点から、即席食品の仕様に最適な蓋材を得ることを課題として開発された。
したがって、この発明は、第１に蓋材の開封面積を可及的に大きくすることを課題とする。また、第２に蓋材の開封手数を可及的に少なくし、併せて即席食品などが不用意に容器外にこぼれることを的確に防止することを課題とする。
【０００８】
【課題を解決するための手段】
以上の技術的な課題を解決するために、この発明の請求項１記載の湯切り口付き蓋材は、周縁部の異なる二箇所にプルタブが備わり、表面シートと基材が接着剤層を介して積層されているとともに、中央部分を横断して、容器の開口部から剥離される部分と、容器の開口部に接着されたまま残存する部分とに分ける簡易切断線が設けられ、この簡易切断線を挟んで容器の開口部から剥離される部分側に一方のプルタブが、また、容器の開口部に接着されたまま残存する部分側に他方のプルタブがそれぞれ設けられ、容器の開口部に接着されたまま残存する部分側には、容器の開口部フランジとのシール部に沿わせて複数個の湯切り口形成用部分ハーフカットが設けられていて、このハーフカットは、前記簡易切断線側が非連続で、前記シール部側が連続した部分ハーフカットに形成され、かつ、シール部側が先細りとなった形状に形成されたものである。
【０００９】
【作用】
以上の構成による湯切り口付き蓋材においては、まず容器の開口部から剥離される部分側のプルタブを摘まんでこれを引っ張りあげる。これによって、蓋材の内、簡易切断線を挟んでこのプルタブが存在する側の部分が容器の開口部フランジから剥離する。このとき、蓋材は、従来のように途中まで剥離するのとは全く違って、全体を剥離するように引き上げる。この剥離は、簡易切断線の存在によって、安定的で軽快に行われる。その結果、湯切り口形成用部分ハーフカットを備えた部分のみが容器の開口部のフランジに接着された状態で残り、容器の開口部は大きく開放される。次いで、この状態から基材が切り取られた開口部から容器内に収納されている即席食品、スープ（ソース）、そして具などを取り出す。次に、前記湯切り口形成用部分ハーフカットに囲まれた部位を表面側から容器内方に向って押し込む。この押し込みによって、部分ハーフカット部分に囲まれた蓋材部分が、簡易切断線側が蓋材に連結された状態で、シール部分側が容器内方へ落ち込んで傾斜状に折り込まれる。その結果、この部分ハーフカット部分に囲まれた蓋材部分に湯切り口が形成される。次に、即席食品のみを容器に入れて湯を注いでゆがいた後に、湯切り口から湯切りする。次いで、前記他方のプルタブを摘まんで上方に引っ張りあげ、湯切り口が形成されていて容器の開口部に接着されたまま残存する部分を剥離してから、取り除き、容器の開口部を完全に開放する。その後、容器内に具やスープを入れ、電子レンジで加熱するかもしくは湯を注ぐことにより、カップ入り即席食品ができあがる。
【００１０】
【発明の効果】
したがって、この発明の請求項１記載の湯切り口付き蓋材は、以下の効果を奏する。
一方のプルタブを上方に引っ張りあげて蓋材を容器の開口部のフランジから剥離すると、簡易切断線を挟んでこの一方のプルタブが存在する側の部分が容器の開口部フランジから剥離してすべて取り除かれる。湯切り口形成用部分ハーフカットを備えた部分のみが容器の開口部のフランジに接着された状態で残る。したがって、開封量を圧倒的に大きく広げることができる。その結果、容器内からのパウチに収納された即席食品の取り出し、また、パウチから取り出された即席食品の容器内への収容を、格段に楽に行える利点がある。併せて、収容された即席食品のほぐし作業も大変楽に行える利点がある。
【００１１】
また、中央部分を横断して、容器の開口部から剥離される部分と、容器の開口部に接着されたまま残存する部分とに分ける簡易切断線が設けられているので、剥離安定性をうまく確保できる。
【００１２】
更に、湯切り口形成用部分ハーフカットに囲まれた部位を表面側から容器内方に向って押し込む湯切り口を形成することによって、湯切りが行える。したがって、蓋材の開封手数が格段に少なくなり、迅速な開封を可能にする。併せて、この湯切り口は、部分ハーフカット部分に囲まれた蓋材部分が、簡易切断線側が蓋材に連結された状態で、シール部分側が容器内方へ落ち込んで傾斜状に折り込まれたツメが形成されることになる。したがって、湯切りする際に即席食品がこのツメによって、容器の外方に不用意に排出されるのをうまく阻止できる。
【００１３】
この発明に係る湯切り口付き蓋材は、簡易切断線として請求項２に記載されるように、ハーフカットを採用したり、請求項３に記載されるように、ハの字ミシン目が採用される。
【００１４】
また、この発明に係る湯切り口付き蓋材にあって、簡易切断線は、直線状であったり、請求項４に記載されるように、中間部分が湯切り口形成用部分ハーフカット存在側に凸になるように形成されるのが望ましい。
特に、中間部分を湯切り口が形成される容器の開口部に接着されたまま残存する部分側に凸にする場合には、容器の開口部をより一層広くでき、容器に収納されている即席食品の出し入れが大変容易になる上に、即席食品のほぐしも容易になるからである。
【００１５】
更に、この発明に係る湯切り口付き蓋材は、請求項５に記載されるように、容器の開口部から剥離される部分側と容器の開口部に接着されたまま残存する部分側にね設けられたプルタブは、簡易切断線を挟んで互いに隣り合って設けられ、併せて両プルタブの境界には基材から表面シートに貫通し、この簡易切断線に連なるノッチが設けられるのがり望ましい。
容器の開口部から剥離される部分側のプルタブを上方に引っ張りあげて、簡易切断線を挟んでこの容器の開口部から剥離される部分側を容器の開口部フランジから剥離するきっかけが簡単に得られ、隣接する湯切り口形成用部分ハーフカットを備えた、容器の開口部に接着されたまま残存する部分との分離が軽快に行えるようになるからである。
【００１６】
【発明の実施の形態】
（第１の実施の形態）
以下、この発明に係る湯切り口付き蓋材の第１の実施の形態を図１〜７の記載に基づいて説明する。
この湯切り口付きの蓋材１は、容器２の開口部３に、容器２の開口部３とほぼ同じ外形を有し（図４参照）、周縁部４の異なる二箇所にプルタブ５，５Ａを備えて構成されている。蓋材１は、図３に示されるように、基材６とこれを被覆する表面シート７が接着剤層８を介して積層される。また、蓋材１は、図１〜４に示されるように、そのほぼ中央部分を横断して、容器２の開口部３から剥離される部分Ａと、容器２の開口部３に接着されたまま残存する部分Ｂとに分ける簡易切断線９が設けられている。そして、前記プルタブ５，５Ａの内、一方のプルタブ５は、この簡易切断線９を挟んで容器２の開口部３から剥離される部分Ａ側に、また、他方のプルタブ５Ａは、容器２の開口部３に接着されたまま残存する部分Ｂ側にそれぞれ設けられている。また、前記容器２の開口部３に接着されたまま残存する部分Ｂ側には、容器２の開口部フランジ２Ａとのシール部１５に沿わせて、複数個の湯切り口形成用部分ハーフカット１１が形成されている。この湯切り口形成用部分ハーフカット１１は、内面側となる前記基材６から接着剤層８を越えて表面シート７に至る範囲で形成されている。
【００１７】
この湯切り口形成用部分ハーフカット１１は、前記シール部１０側のみが連続した、部分ハーフカットに形成されている。また、シール部１０側が先細りとなった台形状に形成されている。したがって、この湯切り口形成用部分ハーフカット１１で囲まれた部位Ｃは、簡易切断線９側のみが蓋材１と連結されている。また、この台形状のシール部１０側、つまり天側の幅１５ｍｍに、また、高さは５ｍｍに寸法設定されている。
【００１８】
図１〜４に示されるように、前記簡易切断線９は、表面側ハーフカット１２と裏面側ハーフカット１３とから構成されている。前記表面側ハーフカット１２は、表面シート７にその表側から設けられている。また裏面側ハーフカット１３は、この表面側ハーフカット１２に、平面的にわずかな間隔を開けて、しかも基材６側から表面シート７に至るように並設されて設けられている。蓋材１は表面に通常の印刷が施され、通常の打ち抜き型を用いた打ち抜き工程で、直径１９０ｍｍの排湯機能を備えた湯切り口付き蓋材として作製される。
【００１９】
また、図７に示されるように、前記一方のプルタブ５と他方のプルタブ５Ａは、簡易切断線９を挟んで互いに隣り合って設けらる。併せて両プルタブ５，５Ａの境界には基材６から表面シート７に貫通し、この簡易切断線７に連なるノッチ１４が設けられている。プルタブ５を上方に引っ張りあげて、簡易切断線９を挟んでこのプルタブ５が存在する側の部分、つまり剥離される部分Ａを容器２の開口部フランジ２Ａから剥離するきっかけが簡単に得られ、湯切り口形成用部分ハーフカット１１を備えた部分Ｂとの分離が軽快に行えるようにするためである。このノッチ１４は、図１中の部分拡大図に示されるように、表面側ハーフカット１２だけでなく、裏面側ハーフカット１３にも連なるように形成されている。つまり、この裏面側ハーフカット１３の端部をノッチ１４側に向けてカーブさせることによって、その端部をこのノッチ１４に連ねてある。また、ノッチ１４は、基材６から表面シート７に貫通する構成が採用されているが、表面シート７のみ、又は紙２０のみを貫通する構成も採用できる。更に、裏面側ハーフカット１３を、その端部においてノッチ１４に連ねる構成に代えて、表面側ハーフカット１２に連ねる構成も採用できる。剥離のきっかけが容易で、簡易、そして確実に得られ、湯切り口形成用部分ハーフカット１１を備えた部分Ｂとの分離が軽快に行える効果は同等である。
【００２０】
更に、図４に示されるように、前記蓋材１に設けられたシール部１５を容器２の開口部３のフランジ２Ａにシールすることで即制食品容器が得られる。そして、前記シール部１５のシール幅は、１ｍｍないし１０ｍｍが一般的である。
【００２１】
ここで、基材６は、図３に示されるように、あらかじめ発泡スチロール、スチロール、ポリプロピレンなどの樹脂を用いて成型された容器２との剥離を容易にする、低温接着性を有するＥＶＡ（エチレン酢酸ビニル共重合体）などのオレフイン系樹脂またはヒートシールニスなどからなるシーラント剤１８を、１５〜６０μｍの厚さでアルミニウム箔１９（厚さ６〜１５μｍ）の裏面に押し出しによりラミネートあるいは塗着することにより作製されたものを使用することができる。
【００２２】
このシーラント剤１８は、上記の他にも、例えば以下に示すような素材が採用される。例えば、ＥＭＡＡ（メチレン−メタクリル酸）とエステル、ポリスチレンとポリエチレン、ポリプロピレンとポリエチレン、ポリエチレンとポリブテンの混合物などである。
【００２３】
この発明において、前記アルミニウム箔１９は、必ずしも必要としない。また、アルミニウム箔１９の代わりに、酸化ケイ素、酸化アルミニウムなどの金属酸化物を蒸着したポリエステルフィルムを採用できる。
【００２４】
また、表面シート８は、厚さが５０ｇ／ｍ2 〜１４０ｇ／ｍ2 の範囲内にある紙２０、具体的には片アート紙あるいはコート紙を使用することができる。グラビア印刷法により表裏同一行程で、表面側にインキによる印刷層２１を設ける。この表面シート７の印刷層２１にはプラスチックフィルムを積層して被覆層２５を形成してもよい。この印刷層２１並びに表面シート７を保護するためである。また、採用されるプラスチックフィルムは、例えば、ＰＥＴ，ＯＰＰ，ＯＮなどが挙げられる。
【００２５】
更に、接着剤層８としては、印刷された紙２０との熱接着性に優れた接着剤、具体的には、ＨＤＰＥ（高密度ポリエチレン）、ＥＭＡＡ（エチレン−メタクリル酸）、更にはＬＤＰＥ（低密度ポリエチレン）になどを使用できる。１０〜３０μｍの厚みで、前記アルミニウム箔１９（厚さ６〜１５μｍ）の表面に押し出しによりラミネートあるいは塗着することにより作製されたものを使用することができる。
【００２６】
湯切り口形成用部分ハーフカット１１は、図４〜５に示されるように、基材６から表面シート７を貫通して形成されている。
【００２７】
また、簡易切断線９を形成する表面側ハーフカット１２は、表面シート７の表側から紙２０に、その厚みのほぼ１／４〜３／４に至る範囲で形成されている。また、裏面側ハーフカット１３は、内面側となる前記基材６から接着剤層８を越えて表面シート７の紙２０に、その厚みのほぼ１／４〜３／４に至る範囲で形成されている。
【００２８】
簡易切断線９は、図１〜３に示されるように、蓋材１のほぼ中央部分で、前記容器２の開口部３に接着されたまま残存する部分Ｂ側に向かって凸となるように湾曲する曲線状に形成されている。
【００２９】
なお、図例では、このように曲線状に形成されているが、必要に応じて、図２中想像線で示されるように、蓋材１の中央部分を横切るような直線も採用される。この他にも即席食品の容量によっては、例えば、残存する部分Ｂ側に偏って、蓋材１の１／３あるいは１／４位置に設けられる構成も採用される。要は、即席食品を可及的に出し入れし易い開封量を得ることと、安全な湯切りが行えるに足る基材６の残存量を得ることの兼ね合いをうまく図ることである。
【００３０】
また、前記両プルタブ５，５Ａは、図１，２に示されるように、蓋材１の周縁部４の内、この剥離される部分Ａの周縁部４Ａ、また、残存する部分Ｂの周縁部４Ｂの中間点よりも左右いずれかの側に片寄った位置に設けられるのが望ましい（図例では右側）。特に、前記各部分Ａ，Ｂの右あるいは左側端、つまりは開封縁となるような部位が好ましい。その理由は、これらプルタブ５，５Ａを摘まんで、この剥離される部分Ａ、また、残存する部分Ｂを容器２のフランジ２Ａから剥離する際に、これら各部分Ａ，Ｂの一端側から剥離力を作用させることができるからである。つまり、これらプルタブ５，５Ａが各部分Ａ，Ｂの周縁部４Ａ，４Ｂの中間点に存在すると、これらプルタブ５，５Ａから各部分Ａ，Ｂに働く剥離力は、左右に均等に分散される。その結果、それだけ剥離力が弱くなり、より大きな剥離力が要求されることになるからである。また、このようにすることで、この一方のプルタブ５は、湯切りされる湯の排出経路から傍らに片寄った位置に存在する。したがって、湯切り直後であっても、このプルタブ５に熱湯の雫などが付着したり、熱くなっていたりするおそれがなく、不用意に火傷を負う危惧もなくなるからである。
【００３１】
以上の構成において、蓋材１は、両プルタブ５，５Ａが共に容器２の外方に突出した状態で、容器２の開口部３を覆って、内面のシーラント剤１８層と容器２のフランジ２Ａとがシール部１０で熱接着されている（図４参照）。
【００３２】
次いで、図５に示される蓋材１が取り付けられている容器２を使用するに際しては、まず一方のプルタブ５を摘まんで蓋材１を容器２から引き剥がす。蓋材１は内面のシーラント剤１８層と容器２のフランジ２Ａとのシール部１０が剥離してくる。このとき、ノッチ１４の存在によって、蓋材１の容器２の開口部３から剥離される部分Ａが残存する部分Ｂから容易に切断され、以降の分離を軽快に行うきっかけが得られる。したがって、簡易切断線９、つまり表裏両ハーフカット１２，１３を境にして、剥離される部分Ａが簡便、かつ、軽快に剥離してくる。
【００３３】
この表裏両ハーフカット１２，１３を境にして剥離される部分Ａが容器２から完全に剥離した後は、図５に示されるように、湯切り口形成用部分ハーフカットを備えた部分、つまり残存する部分Ｂのみが容器２開口部３のフランジ２Ａに接着されたまま残り、容器２の開口部３をほぼ１／２乃至１／２以下〜１／４程度を覆った状態となる。次いで、この状態から剥離される部分Ａが切り取られた開口部３から容器２内に収納されている即席食品、スープ（ソース）、そして具などを取り出す。
【００３４】
次いで、図６に示されるように、湯切り口形成用の部分ハーフカット１１に囲まれた部分Ｃを表面シート７側から容器２の内方へ向って突き降ろす。すると、この部分ハーフカット１１に囲まれた部分Ｃは、簡易切断線９側のみが蓋材１と繋がっているので、この部位を支点にして先端側、つまりシール部分１５（１３）側が容器２の内側に傾斜状に折り込まれて、湯切り口２２が形成される。この傾斜姿勢は、言うまでもなくシール部分１５（１３）側ほど、つまり部分ハーフカット１１に囲まれた部分Ｃの先端側ほど下位となる。
【００３５】
次いで、即席食品をパウチから取り出し、即席食品だけを容器２内に入れ、湯を注いで即席食品を１〜２分間ゆがいたり、ほぐしたりする。その後、容器２を傾けて容器２の開口部３に接着されて残存する部分Ｂの湯切り口２２から湯切りを行う。次いで、スープ（ソース）、そして具を容器２内に入れて湯を注ぎ、例えばラーメンなどのカップ入り即席食品を完成させる。その後、容器２の開口部３に接着されたまま残存する部分Ｂを他方のプルタブ５Ａを摘まんで剥離して、取り除き、容器２の開口部３を完全に開放し、即席食品を食する。他方のプルタブ５Ａは、この残存する部分Ｂの端の方に設けられているので、この残存する部分Ｂに対する引っ張り上げ力をこの残存する部分Ｂの一端に集中的に作用させ得る。したがって、可及的に簡便で、軽快な剥離を可能にする。
【００３６】
（第２の実施の形態）
この発明の第２の実施の形態の蓋材１は、基本的な構成は前記第１の実施の形態と同じであり、前記簡易切断線９が、所謂ハの字ミシン目で構成されている点で異なる。したがって、その他の構成、作用などの詳細な説明は省略する。
【００３７】
図８に示されるように、簡易切断線９を構成するこの所謂ハの字ミシン目は、前記第１の実施の形態と同様に、この蓋材１のほぼ中央部分を横断する境界線に沿って形成されている。このハの字ミシン目は、基材６から表面シート７に貫通して設けられ、互いに外側に拡がるように傾斜した形状の剥離用切れ目１６を多数設けてなる切れ目線１７を複数列設けて形成される。更に具体的には、剥離用切れ目１６は、図８の部分拡大図に示されるように、流れ方向に対して約２０度外側に斜めに拡がる形状の一対の構成で連続的に設けられて１列の切れ目線１７が形成される。実施される蓋材１には、この切れ目線１７が２列以上設けられた構成となっている。ここで、切れ目線１７を構成する切れ目１６は、前記の形状で、しかも左右対称の形状に設けるのが、切断し易く、また、隙間ができなく、切断部分に蓋材１の切断端が残らず綺麗に剥離できる。この切れ目線１７は、２列以上の複数列設けられるのが望ましいが、３列以上５列以下の範囲で設けるのが、剥離性、安定性の点から好ましい。
【００３８】
また、図９に示されるように、前記湯切り口形成用部分ハーフカット１１は、図１に示される簡易切断線９と同様に、表面側ハーフカット１１Ａと裏面側ハーフカット１１Ｂとから構成されている構造を採用できる。言うまでもなく、表面側ハーフカット１１Ａは、表面シートにその表側から設けられる。また、裏面側ハーフカット１１Ｂは、この表面側ハーフカット１１Ａに平面的に僅かな間隔を開けて、しかも基材６側から表面シート７に至るように並設されて設けられている。表面側ハーフカット１１Ａは、表面シート７の表側から紙２０に、その厚みのほぼ１／４〜３／４に至る範囲で形成されている。また、裏面側ハーフカット１１Ｂは、内面側となる前記基材６から接着剤層８を越えて表面シート７の紙２０に、その厚みのほぼ１／４〜３／４に至る範囲で形成されている。湯切り口２２を形成するに当たって、この湯切り口形成用部分ハーフカット１１に囲まれた部位Ｃを容器側に落とし込む作業が簡単で、軽快に行える上に、不用意な外力の働きで湯切り口２２が開口されるのをうまく防止できるからである。
【００３９】
以上各実施の形態においては、蓋材１の形状を円形で紹介したが、その形状は適宜任意に選択され、容器２の開口部３の形状に合わせれば良い。また、部分ハーフカット１１で囲まれた部位Ｃの形状は、台形の他にも、半円形、部分円弧（図１中想像線で示す）、楕円形、あるいは三角形であっても同様の効果を奏する。更に、湯切り口２２の大きさや設けられる数、更には設けられる位置も任意であり、湯切りの際に即席食品が漏れ出さず、しかも素早い湯切りができるように設定される。
【００４０】
【実施例】
以下この発明の実施例を説明する。
（実施例１）
この湯切り口付き蓋材１は、次のようにして作製される。
まず、あらかじめカップ容器２との剥離を容易にした低温接着性を有するＥＶＡなどのオレフィン系樹脂からなるシーラント剤１８（２５μｍ厚）をアルミニウム箔１９（９μｍ厚）に塗着する（ポリエチレンの接着層２３を介しても良い）ことによって基材６を作製する。同時に、巻取り状の紙２０（コート紙：８４．９ｇ／ｍ2 ）に、グラビア印刷法により、表裏同一工程で、インキによる印刷層２１とその表面側を、ポリエチレンの接着層２４を介してドライラミネートにより、ポリエステル（１２μｍ厚）の被覆層２５で覆うことにより表面シート７を作製する。引き続きＬＤＰＥ（低密度ポリエチレン：１５μｍ厚）からなる接着剤層８により、エクストルーダーを用いて、表面シート７を基材６の表面にラミネートすることにより積層材を得る。
なお、前記被覆層２５は必要に応じて採用されれば良い。
【００４１】
続いて、このラミネートされた巻取り状の積層材を枚葉状に大断ちした後、ハーフカット加工を行い（巻取り状にてハーフカット加工をする場合もある）、ハーフカット加工完了後、小断ち・抜き加工を経て、この発明の蓋材１を作製する（ハーフカット加工と同時に小断ち・抜き加工を行う場合もある）。
【００４２】
そして、この蓋材１をカップ容器２にヒートシールなどにより、シール部１０のシール幅を４ｍｍとしてシールすることによって、排湯機能を備えた即席食品容器が完成する。このカップ容器２は、例えば発泡スチロール、スチロール、ポリプロピレンなどから、あらかじめ成形されている。
【００４３】
前記ハーフカット加工において、湯切り口形成用の部分ハーフカット１１、また、簡易切断線９を構成する表裏両ハーフカット１２，１３としては、共に直線状のハーフカットで形成されているが、必要に応じて、ミシン目状のハーフカットで形成されても良い。
【００４４】
この実施例１における蓋材１が取り付けられた容器の使用手順は、前記第１の実施の形態に示される手順と同様であるので、その詳細な説明は省略し、構成の説明にとどめる。
【００４５】
（実施例２）
この発明の実施例２の蓋材１は、基本的な構成は実施例１の蓋材１と同様であるので、同じ構成については同一の符号を付してその詳細な説明は省略する。
この実施例２の実施例１との大きな差異は、簡易切断線９が所謂ハの字ミシン目で構成されている点である。
【００４６】
前記実施例１と同様の手順で得られた積層材を枚葉状に大断ちした後、ハの字ミシン目加工を行い（巻取り状にてハの字ミシン目加工をする場合もある）、ハの字ミシン目加工完了後、小断ち・抜き加工を経て、この発明の蓋材１を作製する（ハの字ミシン目加工と同時に小断ち・抜き加工を行う場合もある）。
【００４７】
そして、この蓋材１をカップ容器２にヒートシールなどにより、シール部１０のシール幅を４ｍｍにしてシールすることによって、排湯機能を備えた即席食品容器が完成する。この実施例では、ハの字ミシン目は基材５から表面シート４に貫通して設けられている。
【図面の簡単な説明】
【図１】この発明の実施例１における湯切り口付き蓋材を示し、その一部を取り出して拡大した平面図である。
【図２】この発明の実施例１における湯切り口付き蓋材の裏面図である。
【図３】この発明の実施例１における湯切り口付き蓋材の積層構成を示し、図１中Ａ−Ａ線に沿った断面図である。
【図４】この発明の実施例１における湯切り口付き蓋材を容器に開口部に接着した状態を示し説明断面図である。
【図５】容器に開口部に接着したこの発明の実施例１における湯切り口付き蓋材を剥離した状態を示す説明断面図である。
【図６】この発明の実施例１における湯切り口付き蓋材の湯切り口を示し説明断面図である。
【図７】この発明の実施例１における湯切り口付き蓋材のノッチを示し、図１中Ｂ矢示図である。
【図８】この発明の実施例２における湯切り口付き蓋材を示し、その一部を取り出して拡大した表面図である。
【図９】この発明の湯切り口付き蓋材の湯切り口形成用部分ハーフカットの変形例を示す一部切欠き平面図である。
【図１０】図９に示される湯切り口形成用部分ハーフカットを示す要部の説明断面図である。
【符号の説明】
１…蓋材，２…容器，３…開口部，５…一方のプルタブ，５Ａ…他方のプルタブ，６…基材，７…表面シート，８…接着剤層，９…簡易切断線，１０…シール部分，１１…湯切り口形成用部分ハーフカット，１１Ａ…表面側ハーフカット，１１Ｂ…裏面側ハーフカット，１２…表面側ハーフカット，１３…裏面側ハーフカット，１４…凸の部分，１５…シール部分，１６…切れ目，１７…切れ目線，１８…シーラント剤，１９…アルミニウム箔，２０…紙，２１…印刷層、２２…湯切り口，Ａ…剥離される部分，Ｂ…残存する部分，Ｃ…部分ハーフカットに囲まれた部位。
【図１】
0003982279.tif 000002
【図２】
0003982279.tif 000003
【図３】
0003982279.tif 000004
【図４】
0003982279.tif 000005
【図５】
0003982279.tif 000006
【図６】
0003982279.tif 000007
【図７】
0003982279.tif 000008
【図８】
0003982279.tif 000009
【図９】
0003982279.tif 000010
【図１０】
0003982279.tif 000011